(57)【要約】【課題】より安心して快適に着用を続けられる失禁用パッドおよびパンツを提供する。【解決手段】周縁部が互いに熱融着または接着される２枚の不透水性シート８ａ，８ｂの間に、上側から順に、揆水性の繊維または揆水加工を施した繊維からなる網体５と、多層構造の吸水部６とを収容した失禁用パッド４において、前記吸水部６に、消臭機能を有するメッシュ体６ａを設けた。【選択図】      図１
2004283311.tif 000002
【特許請求の範囲】
【請求項１】
周縁部が互いに熱融着または接着される２枚の不透水性シートの間に、上側から順に、揆水性の繊維または揆水加工を施した繊維からなる網体と、多層構造の吸水部とを収容した失禁用パッドにおいて、前記吸水部に、消臭機能を有するメッシュ体を設けたことを特徴とする失禁用パッド。
【請求項２】
股間部に、請求項１に記載の失禁用パッドを配置したことを特徴とする失禁用パンツ。
【発明の詳細な説明】
【０００１】
【発明の属する技術分野】
本発明は、失禁者、特に尿失禁者が着用する失禁用パンツに関する。
【０００２】
【従来の技術】
【特許文献１】特許２８９６６３３号公報
従来の失禁用パンツとして、上記特許文献１に示すように、２枚の不透水性シートの間に、上側から順に、揆水性の繊維または揆水加工を施した繊維からなる網体と、多層構造の吸水部とを収容したパッドを、股間部に設けてなるものがある。
【０００３】
上記の構成からなる失禁用パンツでは、その着用者が不意に失禁を起こしてしまったとしても、尿などの水分は前記パッドにより吸収され、着用者の皮膚と接触しない部分へと移動するのであり、このように吸収された水分はパッドの何処からも漏れることがないのであり、また、パッドにより吸収した水分が着用者の皮膚と接触する部分へ戻ることを確実に防止するように構成してあることから、着用者は不意に失禁を起こした場合でも、不快感を感じること無く前記失禁用パンツを着用し続けることができるのである。
【０００４】
【発明が解決しようとする課題】
しかし、上記従来の失禁用パンツでは、前記吸水部に吸収された尿の臭いが外部に漏れるおそれがあった。
【０００５】
本発明は上記の点を考慮にいれてなされたものであって、より安心して快適に着用を続けられる失禁用パッドおよびパンツを提供することを目的としている。
【０００６】
【課題を解決するための手段】
上記の目的を達成するために、本発明の失禁用パッドは、周縁部が互いに熱融着または接着される２枚の不透水性シートの間に、上側から順に、揆水性の繊維または揆水加工を施した繊維からなる網体と、多層構造の吸水部とを収容した失禁用パッドにおいて、前記吸水部に、消臭機能を有するメッシュ体を設けた（請求項１）。
【０００７】
また、本発明の失禁用パンツは、股間部に、請求項１に記載の失禁用パッドを配置した（請求項２）。
【０００８】
上記の構成によれば、より安心して快適に着用を続けられる失禁用パッドおよびパンツを提供することが可能となる。
【０００９】
すなわち、吸水部の上側に揆水性の繊維または揆水加工を施した繊維による網体を形成することによって、ひとたび吸水部に吸収された水分は、揆水性の高い網体を通過して肌に逆流することができず、この水分が再び網体を介して使用者の肌に戻ることを効果的に防止できる。このため、この失禁用パッドを股間部に配置したパンツの使用者は前記吸水部に多量の水分を含んでいる状態でも濡れた感じを全く受けることなく、常にさわやかな気分でいることができる。
【００１０】
また、吸水部に多量の水分が吸収されたとしても、この水分は、熱融着や接着によって閉ざされた２枚の不透水性シートおよび網体によって完全に外部と遮断された吸水部内に収容されることとなり、前記水分が漏れてパンツの他の部分や外衣を濡らしてしまうようなことが完全になくなる。したがって、利用者は、漏れる心配を全くする必要がなく、この失禁用パンツを安心して快適に着用できる。
【００１１】
そして、前記失禁用パッドを股間部に配置した失禁用パンツの着用時などに前記吸水部に吸収された尿などの水分が気化した場合には、前記吸水部に設けたメッシュ体の消臭機能により、その臭いが外部に漏れないのであり、このことからも、失禁用パンツの着用者は、吸水部に吸収された尿などの水分の臭いが周囲に漏れることを気にせずに前記パッドが取り付けられたパンツの着用をより安心して続けることができるのである。
【００１２】
【発明の実施の形態】
以下、本発明の実施例を、図を参照しながら説明する。
図１は、本発明の一実施例に係る失禁用パンツ（以下、パンツという）１およびその内部に縫着される失禁用パッド（以下、パッドという）４の構成を概略的に示す斜視図、図２および図３は、前記パッド４の構成を概略的に示す分解斜視図および縦断面図である。
前記パンツ１は、股間部に前記パッド４を設けてなる。詳しくは、前記パンツ１は、女性用のショーツ型の失禁用パンツであり、前布２と、後布３と、股布を構成するパッド４とを有している。
【００１３】
前記パッド４は、周縁部が互いに熱融着または接着される２枚の不透水性シート８ａ，８ｂの間に、上側から順に、揆水性の繊維または揆水加工を施した繊維からなる網体５と、多層構造の吸水部６とを収容してなる。
【００１４】
前記網体５は、繊維そのものが高度の揆水性を備えるものが好ましく、本実施例では、揆水性の繊維の一例としてポリプロピレン（１８０デニール）からなる繊維５０（図４（Ａ）参照）を用いている。そして、この網体５の穴５２（図４（Ａ）参照）の大きさおよび厚さは水分を液体の状態で素早く通過させることのできるものであり、通常直径が０．５〜２．５ｍｍ程度の穴を形成し、網体５の厚さは０．５〜２．５ｍｍ程度が望ましい。
【００１５】
そして、本実施例では、前記ポリエステルの繊維５０を、丸編機で編成しており、その厚みは約０．９ｍｍ、穴５２の大きさは直径１．５ｍｍである。また、この穴５２の数は１平方センチ当たり２５個形成している。
【００１６】
また、本実施例では、前記繊維５０の表面を起毛して起毛繊維５１（起毛部分、図４（Ａ）参照）を形成し、網体５の厚さを１〜２ｍｍ程度厚くしている。そして、この起毛繊維５１は、網体５の肌触りを改善すると共に、その揆水性を用いて網体５の水分の透過性を調節している。つまり、前記穴５２の直径、網体の厚さ、および起毛部分の厚さは、この網体５の表面に水滴（水分）９０（図４（Ａ）参照）を静かに落とした場合には、この水滴９０は最上層の揆水性の網体５によって弾かれて図４（Ａ）および（Ｂ）に示すように、水の表面張力によって水玉を形成し、少し外力を加えて水玉となった前記水分９０および網体５を押圧すると、この水玉９０はすぐ下の吸水部６に接触するように調節して形成している。
【００１７】
前記吸水部６は、上側から順に、消臭層６ａと、吸水・拡散層６ｂと、吸水層６ｃと、消臭層６ａと、吸水層６ｃとを有している。
【００１８】
前記消臭層６ａは、消臭加工を施した繊維を用いて形成されたメッシュ体により構成されている。
【００１９】
前記吸水・拡散層６ｂは、例えば濡れ特性の優れた繊維であるレーヨンと、水分が広がりやすく濡れやすいアクリルとを５０：５０の割合で混合した不織布である。なお、この吸収・拡散層６ｂを不織布に代えて水に濡れやすい編織布で構成してもよい。
【００２０】
また、吸水層６ｃは、濡れやすい繊維として、例えばレーヨンのような水分を多量に吸収する繊維で構成された不織布からなり、前記網体５を通過した水分のほとんどは、最終的に吸収層６ｃに吸収されることとなる。なお、この吸水層６ｃは上述した不織布だけでなく、吸水性の繊維からなる綿や編織生地を用いてもよい。
【００２１】
上記の構成からなる吸水部６の構成繊維の組成率は、例えば、ポリエステル２４．９％、ナイロン２２．９％、レーヨン４５．４％、アクリル６．８％となっている。
【００２２】
また、上記の構成からなる吸水部６は、水分９０を約１０ｃｃ程度吸収するように構成してあり、水分９０の吸収量を増やしたい場合には、前記消臭層６ａ、吸水・拡散層６ｂおよび吸水層６ｃの数を適宜に増やせばよい。
【００２３】
前記不透水性シート８ａ，８ｂはそれぞれ、例えば、前記網体５および吸水部６より大きな外形を有するナイロンの基布に熱可塑性樹脂フィルムの一例として、ウレタン樹脂フィルムをラミネート加工し、ウレタン樹脂フィルムのラミネート面８０を形成し、防水加工を施したものである。また、上（表面）側の不透水性シート８ａには、図２に示すように、前記網体５より小さな面積の窓部８１が形成されている。
【００２４】
図４（Ａ），（Ｂ）および（Ｃ）は、前記パッド４に水分９０が吸収される過程を概略的に示す説明図である。
上記の構成からなるパンツ１の着用者が不意に失禁を起こした場合、尿である水分９０がまずパッド４の最上層に設けられた網体５に接触することとなり、このとき、水分９０は、揆水性を有する前記網体５に弾かれ、水の表面張力によって水玉状となる。
【００２５】
続いて、図４（Ｂ）および（Ｃ）に示すように、水玉となった水分９０は、網体５および消臭層６ａを通過して前記吸水・拡散層６ｂに接触し、その界面張力の差によって素早く網体５および消臭層６ａの直下に設けられた吸水・拡散層６ｂに吸収されると共に、その水分９０の表面張力によって水分９０全量が網体５の表面に残ることなく素早く吸水・拡散層６ｂに吸収され、この吸水・拡散層６ｂにおいて穴５２の周りに拡散される。従って、網体５の表面には水分が残留することがなく、たとえ残っていたとしても、ごく微量であるので、濡れた不快感を使用者に与えることがない。
【００２６】
前記網体５を通過し、前記吸水・拡散層６ｂに至った水分のほとんどは、最終的に吸収層６ｃに吸収されることとなる。つまり、各層を形成する繊維の濡れやすさと界面張力の差によって水分は奥の層に吸収されるように構成してある。
【００２７】
こうして、吸水・拡散層６ｂと吸水層６ｃを有する吸水部６に吸収された水分は、濡れやすい繊維で構成される吸水部６に保持されると共に、揆水性の網体５からは弾かれるので、この水分９０が液体のままで網体５を通過し、表面に逆流することはない。従って、利用者は濡れた不快感を受けることない。
【００２８】
また、前記吸水・拡散層６ｂの直下にある吸水層６ｃのみでは水分９０を全て吸収することができなかった場合、水分９０は前記吸水層６ｃの下側にある消臭層６ａを経てその下側の吸水層６ｃに吸収されることとなる。
【００２９】
そして、前記吸水部６に吸収された水分９０は、前記不透水性シート８ａ，８ｂのウレタン樹脂フィルムのラミネート面８０および網体５によって完全に囲まれることとなり、前記吸収部６に吸収された水分９０は液体のままでは何処からも漏れることがない。
【００３０】
なお、前記水分９０が気化した場合は、この網体５を容易に通過できるので、前記パッド４およびこのパッド４が取り付けられたパンツ１の洗濯後の乾燥時には、前記吸水部６に含まれた水分９０は容易に蒸発できるのであり、前記網体５が吸水部６の乾燥を妨げることはない。
【００３１】
また、前記パッド４が取り付けられたパンツ１の着用時などに前記吸水部６に吸収された水分９０が気化した場合、前記消臭層６ａの消臭機能により、その臭いが外部に漏れないのであり、前記水分９０から発生する臭いを気にせずに着用者は前記パッド４が取り付けられたパンツ１の着用を安心して続けることができる。
【００３２】
さらに、本実施例では起毛を用いているが、本発明はこれに限られるものではなく、前記繊維５０をパイル状にして、同様の効果が得られるようにしてもよい。
【００３３】
また、前記パッド４は、パンツ１に対して縫合などにより取り付けて用いるようにしてもよいが、パッド４単体を一般的なパンツの股間部にのせるだけでも使用することができるのである。
【００３４】
また、前記網体５は、繊維そのものが揆水性を備えるものに限られず、例えば、揆水性を備えないポリエステルなどの繊維からなる生地全体を、揆水加工剤〔例えば旭ガラス社製の揆水加工剤（商品名：アサヒガードＬＳ−３１７）など〕によって揆水加工したものを用いて前記網体５を構成してもよい。このように構成した場合には、揆水加工をする前に網体５に容易に着色することが可能となる。
【００３５】
また、網体５の揆水性、厚み、穴５２の数および大きさの調節によって、網体５による水の透過性を十分に適正なものとすることが可能であれば、上述のように、起毛を施す必要はない。
【００３６】
なお、上述した各実施例において、網体５を構成する材料として、ポリプロピレンおよびポリエチレンを用いた例を挙げているが、この網体を構成する材料はポリプロピレンおよびポリエチレンに限られるものではなく、例えばふっ素系繊維など揆水性を有する材料を用いてもよく、また、上記ポリプロピレン、ポリエチレン、ふっ素系繊維などの揆水性を有する材料を２つ以上混合して用いてもよい。
【００３７】
さらに、上記各実施例では、不透水性シート８ａ，８ｂの一例としてナイロンの基布にウレタン樹脂フィルムをラミネート加工したものを実施例として用いているが、この不透水性シート８ａ，８ｂの材料はこれに限られるものではない。例えば塩化ビニールなどの熱可塑性樹脂フィルムをラミネート加工するために用いてもよく、またそれらの混合物を用いてもよい。また、基布としてポリエステルの布など前記熱可塑性樹脂フィルムをラミネート加工できる繊維を用いてもよい。
【００３８】
また、本実施例において、前記パンツ１は女性用のショーツを例に挙げているが、本発明が、これに限られるものではなく、男性用のブリーフにも適用できることは言うまでもない。
【００３９】
【発明の効果】
以上説明したように、本発明によれば、より安心して快適に着用を続けられる失禁用パッドおよびパンツを提供することが可能となる。
【００４０】
すなわち、吸水部の上側に揆水性の繊維または揆水加工を施した繊維による網体を形成することによって、ひとたび吸水部に吸収された水分は、揆水性の高い網体を通過して肌に逆流することができず、この水分が再び網体を介して使用者の肌に戻ることを効果的に防止できる。このため、この失禁用パッドを股間部に配置したパンツの使用者は前記吸水部に多量の水分を含んでいる状態でも濡れた感じを全く受けることなく、常にさわやかな気分でいることができる。
【００４１】
また、吸水部に多量の水分が吸収されたとしても、この水分は、熱融着や接着によって閉ざされた２枚の不透水性シートおよび網体によって完全に外部と遮断された吸水部内に収容されることとなり、前記水分が漏れてパンツの他の部分や外衣を濡らしてしまうようなことが完全になくなる。したがって、利用者は、漏れる心配を全くする必要がなく、この失禁用パンツを安心して快適に着用できる。
【００４２】
そして、前記失禁用パッドを股間部に配置した失禁用パンツの着用時などに前記吸水部に吸収された尿などの水分が気化した場合には、前記吸水部に設けたメッシュ体の消臭機能により、その臭いが外部に漏れないのであり、このことからも、失禁用パンツの着用者は、吸水部に吸収された尿などの水分の臭いが周囲に漏れることを気にせずに前記パッドが取り付けられたパンツの着用をより安心して続けることができるのである。
【図面の簡単な説明】
【図１】本発明の一実施例に係る失禁用パンツおよびその内部に縫着される失禁用パッドの構成を概略的に示す斜視図である。
【図２】前記失禁用パッドの構成を概略的に示す分解斜視図である。
【図３】前記失禁用パッドの構成を概略的に示す縦断面図である。
【図４】（Ａ），（Ｂ）および（Ｃ）は、前記失禁用パッドに水分が吸収される過程を概略的に示す説明図である。
【符号の説明】
１…失禁用パンツ、４…失禁用パッド、５…網体、８ａ，８ｂ…不透水性シート、６…吸収部、６ａ…メッシュ体。
【図１】
2004283311.tif 000003
【図２】
2004283311.tif 000004
【図３】
2004283311.tif 000005
【図４】
2004283311.tif 000006